(57)【要約】【課題】同期ディジタルハイアラーキ準拠のディジタル多重伝送システムに従来のＶＣパス単位の無瞬断切替を適用する場合には、装置構成が複雑化してしまう。送信側で位相認識用の識別子を付与するために、元信号中のオーバーヘッドバイトの一部を上書きしてしまうため、ＩＴＵ−Ｔ  Ｇ．７０７で規定されるＰＯＨ、ＳＯＨの全てをトランスペアレントに転送することができない。【解決手段】ＩＴＵ−Ｔ  Ｇ．７０９で規定されるＯＤＵ信号形式を用い、送信側では、元信号を異なる２つの経路に分岐する前に、元信号には変更を加えることなく、制御用バイトを新たに追加する処理を行う。この信号形式変換によって追加される制御用バイトの一部に、識別子として特定のパターンを付与する。受信側では、選択系の切替後に、信号形式変換で変換された信号形式を元の信号形式へ復元する。【選択図】  図１
2004266480.tif 000002
【特許請求の範囲】
【請求項１】
元信号を現用と予備の異なる２つの経路へ送信する送信側サブシステムと、前記２つの経路から元信号を受信する受信側サブシステムとを備え、前記送信側サブシステムでは、元信号と共に位相調整用の識別子を異経路へ分岐送信する手段を含み、前記受信側サブシステムでは、同一の元信号と共に異なる２つの経路より受信した位相調整用の識別子の位相差を測定して当該位相差を吸収する位相差吸収手段と、位相差の吸収された信号を現用と予備とで切替える切替手段とを含む無瞬断切替システムであって、
前記送信側サブシステムでは、
元信号を異なる２つの経路に分岐する前に、元信号には変更を加えることなく、制御用バイトを新たに追加する処理を行う信号形式変換手段と、
この信号形式変換手段によって追加される制御用バイトの一部に、前記識別子として特定のパターンを付与する識別子付与手段と
を備え、
前記受信側サブシステムは、前記切替手段による信号の選択系の切替後に、前記信号形式変換手段で変換された信号形式を元の信号形式へ復元する信号復元手段を備えた
ことを特徴とする無瞬断切替システム。
【請求項２】
前記信号形式変換手段は、無瞬断切替されるべき元信号をＩＴＵ−Ｔ  Ｇ．７０９光トランスポートネットワークで規定されるＯＤＵ信号形式に変換するＯＤＵ変換手段を備え、
前記識別子付与手段は、ＯＤＵ信号のオーバーヘッドバイトの一部に位相調整用の識別子として前記特定のパターンを付与する手段を備え、
前記位相差吸収手段は、
現用伝送路より受信したＯＤＵ信号中のオーバーヘッドバイトから前記特定のパターンで表される識別子を検出する現用識別子検出手段と、
予備伝送路より受信したＯＤＵ信号中のオーバーヘッドバイトから前記特定のパターンで表される識別子を検出する予備識別子検出手段と、
現用伝送路より受信したＯＤＵ信号を一時蓄積する現用メモリ手段と、
予備伝送路より受信したＯＤＵ信号を一時蓄積する予備メモリ手段と、
前記現用識別子検出手段および前記予備識別子検出手段で検出されたＯＤＵオーバーヘッド内の前記特定パターンの到着時刻の差から位相差を検出し、この位相差に基づき前記現用メモリ手段および前記予備メモリ手段で蓄積される時間を調整することによって、前記現用メモリ手段および前記予備メモリ手段からのＯＤＵ信号の読出し位相を一致させるメモリ制御手段と
を備え、
前記切替手段は、前記現用メモリ手段または前記予備メモリ手段からＯＤＵ信号を読出すことにより、現用系または予備系の選択系切替えを行う手段を備え、前記信号復元手段は、前記切替手段により読み出されたＯＤＵ信号を元の信号形式に復元する手段を備えた
請求項１記載の無瞬断切替システム。
【請求項３】
前記特定のパターンを付与する手段は、ＩＴＵ−Ｔ  Ｇ．７０９光トランスポートネットワークに記載されるＲＥＳバイトを位相調整用識別子とし前記特定パターンの挿入位置として用いる手段を備えた請求項２記載の無瞬断切替システム。
【請求項４】
前記特定のパターンを付与する手段は、ＩＴＵ−Ｔ  Ｇ．７０９光トランスポートネットワークに記載されるＥＸＰバイトを位相調整用識別子とし前記特定パターンの挿入位置として用いる手段を備えた請求項２記載の無瞬断切替システム。
【請求項５】
前記特定のパターンを付与する手段は、ＩＴＵ−Ｔ  Ｇ．７０９光トランスポートネットワークに記載されるＭＦＡＳバイトを位相調整用識別子とし前記特定パターンの挿入位置として用いる手段を備えた請求項２記載の無瞬断切替システム。
【請求項６】
元信号と共に位相調整用の識別子を異経路へ分岐送信する手段を含む送信側サブシステムであって、
元信号を異なる２つの経路に分岐する前に、元信号には変更を加えることなく、制御用バイトを新たに追加する処理を行う信号形式変換手段と、
この信号形式変換手段によって追加される制御用バイトの一部に、前記識別子として特定のパターンを付与する識別子付与手段と
を備えたことを特徴とする送信側サブシステム。
【請求項７】
前記信号形式変換手段は、無瞬断切替されるべき元信号をＩＴＵ−Ｔ  Ｇ．７０９光トランスポートネットワークで規定されるＯＤＵ信号形式に変換するＯＤＵ変換手段を備え、
前記識別子付与手段は、ＯＤＵ信号のオーバーヘッドバイトの一部に位相調整用の識別子として前記特定のパターンを付与する手段を備えた
請求項６記載の送信側サブシステム。
【請求項８】
前記特定のパターンを付与する手段は、ＩＴＵ−Ｔ  Ｇ．７０９光トランスポートネットワークに記載されるＲＥＳバイトを位相調整用識別子とし前記特定パターンの挿入位置として用いる手段を備えた請求項７記載の送信側サブシステム。
【請求項９】
前記特定のパターンを付与する手段は、ＩＴＵ−Ｔ  Ｇ．７０９光トランスポートネットワークに記載されるＥＸＰバイトを位相調整用識別子とし前記特定パターンの挿入位置として用いる手段を備えた請求項７記載の送信側サブシステム。
【請求項１０】
前記特定のパターンを付与する手段は、ＩＴＵ−Ｔ  Ｇ．７０９光トランスポートネットワークに記載されるＭＦＡＳバイトを位相調整用識別子とし前記特定パターンの挿入位置として用いる手段を備えた請求項７記載の送信側サブシステム。
【請求項１１】
同一の元信号と共に現用と予備の異なる２つの経路より受信した位相調整用の識別子の位相差を測定して当該位相差を吸収する位相差吸収手段と、位相差の吸収された信号を現用と予備とで切替える切替手段とを含む受信側サブシステムであって、
送信側では元信号を異なる２つの経路に分岐送出する前に、元信号には変更を加えることなく、制御用バイトを新たに追加する処理を行い、この信号形式変換によって追加される制御用バイトの一部に、前記識別子として特定のパターンが付与され、
前記切替手段による信号の選択系の切替後に、前記信号形式変換で変換された信号形式を元の信号形式へ復元する信号復元手段を備えた
ことを特徴とする受信側サブシステム。
【請求項１２】
前記信号形式変換は、無瞬断切替されるべき元信号をＩＴＵ−Ｔ  Ｇ．７０９光トランスポートネットワークで規定されるＯＤＵ信号形式に変換し、このＯＤＵ信号のオーバーヘッドバイトの一部に位相調整用の識別子として前記特定のパターンが付与され、
前記位相差吸収手段は、
現用伝送路より受信したＯＤＵ信号中のオーバーヘッドバイトから前記特定のパターンで表される識別子を検出する現用識別子検出手段と、
予備伝送路より受信したＯＤＵ信号中のオーバーヘッドバイトから前記特定のパターンで表される識別子を検出する予備識別子検出手段と、
現用伝送路より受信したＯＤＵ信号を一時蓄積する現用メモリ手段と、
予備伝送路より受信したＯＤＵ信号を一時蓄積する予備メモリ手段と、
前記現用識別子検出手段および前記予備識別子検出手段で検出されたＯＤＵオーバーヘッド内の前記特定パターンの到着時刻の差から位相差を検出し、この位相差に基づき前記現用メモリ手段および前記予備メモリ手段で蓄積される時間を調整することによって、前記現用メモリ手段および前記予備メモリ手段からのＯＤＵ信号の読出し位相を一致させるメモリ制御手段と
を備え、
前記切替手段は、前記現用メモリ手段または前記予備メモリ手段からＯＤＵ信号を読出すことにより、現用系または予備系の選択系切替えを行う手段を備え、前記信号復元手段は、前記切替手段により読み出されたＯＤＵ信号を元の信号形式に復元する手段を備えた
請求項１１記載の受信側サブシステム。
【発明の詳細な説明】
【０００１】
【発明の属する技術分野】
本発明は、ディジタル伝送システムの経路切替方式、およびＩＴＵ−Ｔ  Ｇ．７０９で規定された光トランスポートネットワークに準拠したインタフェースを有する伝送システムの経路切替方式に関する。
【０００２】
【従来の技術】
無瞬断切替は、無瞬断切替されるべき信号を送信側で異なる経路（現用系伝送路と予備系伝送路）に分岐した後に送信し、現用系伝送路から受信した信号と予備系伝送路から受信した信号をそれぞれ任意時間、現用系メモリおよび予備系メモリに蓄積することにより各メモリからの読出し時の位相を合わせ、外部制御により、信号の読出しを現用系から予備系へ切り替えることにより実現可能である。
【０００３】
従来の無瞬断切替では、ＩＴＵ−Ｔ  Ｇ．７０７にて規定された同期ディジタルハイアラーキの「ＶＣ−３」もしくは「ＶＣ−４」などのパス単位での切替えが実現されている。
【０００４】
パス単位の無瞬断切替システムでは、多重分離されるそれぞれの現用系パスと予備系パスの位相合わせは、送信側で、ＩＴＵ−Ｔ  Ｇ．７０７にて規定されているＰＯＨのＪ１バイトやＨ４バイトに特定のマルチフレームパターン（識別子）を上書き挿入し、現用系、予備系へ分岐送信し、受信側では現用系、予備系のパスの特定のマルチフレームパターン（識別子）によって認識された位相差をもとに、予備系メモリからの予備系パスの読出しタイミングを現用系メモリからの現用系パスの読出しタイミングと一致させることにより、現用系ＶＣパス信号と予備系ＶＣパス信号の位相合わせが可能となる。
【０００５】
【発明が解決しようとする課題】
しかしながら、前述した従来のＶＣパス単位の無瞬断切替には、次のような課題がある。ＩＴＵ−Ｔ  Ｇ．７０７にて規定された同期ディジタルハイアラーキ準拠のディジタル多重伝送システムでは、５０Ｍｂｐｓや１５０Ｍｂｐｓといった低速回線に対応するＶＣパスを、２．４Ｇｂｐｓや１０Ｇｂｐｓといった高速のビットレートのＳＴＭ１６フレームやＳＴＭ６４フレームのペイロード内に複数本多重して伝送している。
【０００６】
このような同期ディジタルハイアラーキ準拠のディジタル多重伝送システムに従来のＶＣパス単位の無瞬断切替を適用する場合には、送信側、受信側の切替制御回路は、多重分離される各ＶＣパス単位に独立に構成するため、図５、図６のように、ディジタル多重伝送システムの送信部、受信部においては、装置構成が複雑化してしまうという問題がある。
【０００７】
無瞬断すべきＶＣパスの多重数に応じて切替制御回路も必要となり、それによって装置構成の複雑さ、実装体積の大きさは顕著となり、近年の大容量のディジタル多重伝送システムには適していない（第一の課題）。
【０００８】
また、ＩＴＵ−Ｔ  Ｇ．７０７同期ディジタルハイアラーキで規定されるＰＯＨ、ＳＯＨの各種オーバーヘッドは、それぞれ仕様用途が決められており、多重伝送する信号は、そのオーバーヘッドを上書きすることなく、トランスペアレントに転送することが要求される場合がある。従来の技術では、送信側で位相認識用の識別子を付与するために、元信号中のオーバーヘッドバイトの一部を上書きしてしまう。つまり、従来の無瞬断切替技術では、ＩＴＵ−Ｔ  Ｇ．７０７で規定されるＰＯＨ、ＳＯＨの全てをトランスペアレントに転送することができない（第二の課題）。
【０００９】
本発明は、このような背景に行われたものであって、前記第一および第二の課題を解決し、近年の大容量ディジタル多重伝送システムに適した無瞬断切替機能を提供することを目的とする。
【００１０】
【課題を解決するための手段】
本発明の第一の観点は、元信号を現用と予備の異なる２つの経路へ送信する送信側サブシステムと、前記２つの経路から元信号を受信する受信側サブシステムとを備え、前記送信側サブシステムでは、元信号と共に位相調整用の識別子を異経路へ分岐送信する手段を含み、前記受信側サブシステムでは、同一の元信号と共に異なる２つの経路より受信した位相調整用の識別子の位相差を測定して当該位相差を吸収する位相差吸収手段と、位相差の吸収された信号を現用と予備とで切替える切替手段とを含む無瞬断切替システムである。
【００１１】
ここで、本発明の特徴とするところは、前記送信側サブシステムでは、元信号を異なる２つの経路に分岐する前に、元信号には変更を加えることなく、制御用バイトを新たに追加する処理を行う信号形式変換手段と、この信号形式変換手段によって追加される制御用バイトの一部に、前記識別子として特定のパターンを付与する識別子付与手段とを備え、前記受信側サブシステムは、前記切替手段による信号の選択系の切替後に、前記信号形式変換手段で変換された信号形式を元の信号形式へ復元する信号復元手段を備えたところにある。これにより、元信号には、変更を加えることがないので、前述した第二の課題を解決することができる。
【００１２】
さらに、前述した第一の課題を解決するために、例えば、前記信号形式変換手段は、無瞬断切替されるべき元信号をＩＴＵ−Ｔ  Ｇ．７０９光トランスポートネットワークで規定されるＯＤＵ信号形式に変換するＯＤＵ変換手段を備え、前記識別子付与手段は、ＯＤＵ信号のオーバーヘッドバイトの一部に位相調整用の識別子として前記特定のパターンを付与する手段を備え、前記位相差吸収手段は、現用伝送路より受信したＯＤＵ信号中のオーバーヘッドバイトから前記特定のパターンで表される識別子を検出する現用識別子検出手段と、予備伝送路より受信したＯＤＵ信号中のオーバーヘッドバイトから前記特定のパターンで表される識別子を検出する予備識別子検出手段と、現用伝送路より受信したＯＤＵ信号を一時蓄積する現用メモリ手段と、予備伝送路より受信したＯＤＵ信号を一時蓄積する予備メモリ手段と、前記現用識別子検出手段および前記予備識別子検出手段で検出されたＯＤＵオーバーヘッド内の前記特定パターンの到着時刻の差から位相差を検出し、この位相差に基づき前記現用メモリ手段および前記予備メモリ手段で蓄積される時間を調整することによって、前記現用メモリ手段および前記予備メモリ手段からのＯＤＵ信号の読出し位相を一致させるメモリ制御手段とを備え、前記切替手段は、前記現用メモリ手段または前記予備メモリ手段からＯＤＵ信号を読出すことにより、現用系または予備系の選択系切替えを行う手段を備え、前記信号復元手段は、前記切替手段により読み出されたＯＤＵ信号を元の信号形式に復元する手段を備える。
【００１３】
これにより、ＯＤＵ信号のオーバーヘッドの一部を位相認識用の特定パターン挿入用に用いることで、例えば、クライアント信号が複数のＶＣパスが多重されたＳＴＭフレームをＯＤＵ信号のペイロード部に収容することで、多重された全回線に対する無瞬断切替を実現する場合に、ＶＣパス単位での切替回路を独立して複数搭載する必要がなく、ＳＴＭ−ＮフレームをペイロードとするＯＤＵ単位での切替回路を一つのみ搭載することで実現できる。これにより前記第一の課題を解決できる。
【００１４】
さらに、位相認識用の特定パターン挿入の前段において、ＳＴＭ−Ｎフレームを信号形式の異なるＯＤＵフレームに変換し、切替部の後段でＯＤＵ信号形式からＳＴＭ信号形式に変換することによって、元信号であるＳＴＭ−Ｎフレームのオーバーヘッドバイトに変更を加えることなく、ＳＴＭ−Ｎフレームのトランスペアレント性を維持したまま信号の伝送および切替制御を行うことができる。これにより、前記第二の課題を解決できる。
【００１５】
このときに、前記特定のパターンを付与する手段は、ＩＴＵ−Ｔ  Ｇ．７０９光トランスポートネットワークに記載されるＲＥＳバイトを位相調整用識別子とし前記特定パターンの挿入位置として用いる手段を備えたり、あるいは、前記特定のパターンを付与する手段は、ＩＴＵ−Ｔ  Ｇ．７０９光トランスポートネットワークに記載されるＥＸＰバイトを位相調整用識別子とし前記特定パターンの挿入位置として用いる手段を備えたり、あるいは、前記特定のパターンを付与する手段は、ＩＴＵ−Ｔ  Ｇ．７０９光トランスポートネットワークに記載されるＭＦＡＳバイトを位相調整用識別子とし前記特定パターンの挿入位置として用いる手段を備えることが望ましい。
【００１６】
なお、ＲＥＳ（Ｒｅｓｅｒｖｅｄ  ｆｏｒ  ｆｕｔｕｒｅｉｎｔｅｒｎａｔｉｏｎａｌ  ｓｔａｎｄａｒｄｉｓａｔｉｏｎ）バイトは、将来、新たな標準化事項が追加された場合に対処するために、余地を残しておくためのバイトであり、現在は未使用バイトである。したがって、ここを位相調整用識別子として使用することができる。
【００１７】
また、ＥＸＰ（Ｅｘｐｅｒｉｍｅｎｔａｌ）は、種々の試験用に確保してあるバイトであり、試験を行わないときには未使用バイトである。したがって、ここを位相調整用識別子として使用することができる。
【００１８】
また、ＭＦＡＳ（Ｍｕｌｔｉ  Ｆｒａｍｅ  Ａｌｉｇｎｍｅｎｔ  Ｓｉｇｎａｌ）バイトは、マルチフレーム位相を示すオーバヘッドであり、その値は０から２５５までの値をとり、２５６フレームで１マルチフレームを構成することが可能である。したがって、ここを位相調整用識別子として使用することができる。
【００１９】
本発明の第二の観点は、元信号と共に位相調整用の識別子を異経路へ分岐送信する手段を含む送信側サブシステムであって、本発明の特徴とするところは、元信号を異なる２つの経路に分岐する前に、元信号には変更を加えることなく、制御用バイトを新たに追加する処理を行う信号形式変換手段と、この信号形式変換手段によって追加される制御用バイトの一部に、前記識別子として特定のパターンを付与する識別子付与手段とを備えたところにある。
【００２０】
前記信号形式変換手段は、無瞬断切替されるべき元信号をＩＴＵ−Ｔ  Ｇ．７０９光トランスポートネットワークで規定されるＯＤＵ信号形式に変換するＯＤＵ変換手段を備え、前記識別子付与手段は、ＯＤＵ信号のオーバーヘッドバイトの一部に位相調整用の識別子として前記特定のパターンを付与する手段を備えることが望ましい。
【００２１】
このときに、前記特定のパターンを付与する手段は、ＩＴＵ−Ｔ  Ｇ．７０９光トランスポートネットワークに記載されるＲＥＳバイトを位相調整用識別子とし前記特定パターンの挿入位置として用いる手段を備えたり、あるいは、前記特定のパターンを付与する手段は、ＩＴＵ−Ｔ  Ｇ．７０９光トランスポートネットワークに記載されるＥＸＰバイトを位相調整用識別子とし前記特定パターンの挿入位置として用いる手段を備えたり、あるいは、前記特定のパターンを付与する手段は、ＩＴＵ−Ｔ  Ｇ．７０９光トランスポートネットワークに記載されるＭＦＡＳバイトを位相調整用識別子とし前記特定パターンの挿入位置として用いる手段を備えることが望ましい。
【００２２】
本発明の第三の観点は、同一の元信号と共に現用と予備の異なる２つの経路より受信した位相調整用の識別子の位相差を測定して当該位相差を吸収する位相差吸収手段と、位相差の吸収された信号を現用と予備とで切替える切替手段とを含む受信側サブシステムであって、本発明の特徴とするところは、送信側では元信号を異なる２つの経路に分岐送出する前に、元信号には変更を加えることなく、制御用バイトを新たに追加する処理を行い、この信号形式変換によって追加される制御用バイトの一部に、前記識別子として特定のパターンが付与され、前記切替手段による信号の選択系の切替後に、前記信号形式変換で変換された信号形式を元の信号形式へ復元する信号復元手段を備えたところにある。
【００２３】
前記信号形式変換は、無瞬断切替されるべき元信号をＩＴＵ−Ｔ  Ｇ．７０９光トランスポートネットワークで規定されるＯＤＵ信号形式に変換し、このＯＤＵ信号のオーバーヘッドバイトの一部に位相調整用の識別子として前記特定のパターンが付与され、前記位相差吸収手段は、現用伝送路より受信したＯＤＵ信号中のオーバーヘッドバイトから前記特定のパターンで表される識別子を検出する現用識別子検出手段と、予備伝送路より受信したＯＤＵ信号中のオーバーヘッドバイトから前記特定のパターンで表される識別子を検出する予備識別子検出手段と、現用伝送路より受信したＯＤＵ信号を一時蓄積する現用メモリ手段と、予備伝送路より受信したＯＤＵ信号を一時蓄積する予備メモリ手段と、前記現用識別子検出手段および前記予備識別子検出手段で検出されたＯＤＵオーバーヘッド内の前記特定パターンの到着時刻の差から位相差を検出し、この位相差に基づき前記現用メモリ手段および前記予備メモリ手段で蓄積される時間を調整することによって、前記現用メモリ手段および前記予備メモリ手段からのＯＤＵ信号の読出し位相を一致させるメモリ制御手段とを備え、前記切替手段は、前記現用メモリ手段または前記予備メモリ手段からＯＤＵ信号を読出すことにより、現用系または予備系の選択系切替えを行う手段を備え、前記信号復元手段は、前記切替手段により読み出されたＯＤＵ信号を元の信号形式に復元する手段を備えることが望ましい。
【００２４】
これにより、元信号を保存したままでの無瞬断切替えを実現し、さらに、装置構成の複雑化を回避することが可能となる無瞬断切替システムおよびこれに用いる送信側サブシステムおよび受信側サブシステムを実現することができる。
【００２５】
【発明の実施の形態】
本発明実施例を図１ないし図４を参照して説明する。図１は本実施例の無瞬断切替システムのブロック構成図である。図２はＯＤＵ構造図である。図３は第一の実施の形態を説明するための図である。図４は第二の実施の形態を説明するための図である。
【００２６】
本実施例は、図１に示すように、元信号を現用と予備の異なる２つの経路ＡおよびＢへ送信する送信側サブシステム１０と、２つの経路ＡおよびＢから元信号を受信する受信側サブシステム２０とを備え、送信側サブシステム１０では、元信号と共に位相調整用の識別子を異経路へ分岐送信する分岐部３を含み、受信側サブシステム２０では、同一の元信号と共に異なる２つの経路ＡおよびＢより受信した位相調整用の識別子の位相差を測定して当該位相差を吸収する位相差吸収手段と、位相差の吸収された信号を現用と予備とで切替える切替部１８とを含む無瞬断切替システムであって、本実施例の特徴とするところは、送信側サブシステム１０では、元信号を異なる２つの経路ＡおよびＢに分岐する前に、元信号には変更を加えることなく、制御用バイトを新たに追加する処理を行うＯＤＵ変換部１と、このＯＤＵ変換部１によって追加される制御用バイトの一部に、前記識別子として特定のパターンを付与する識別子付与部２とを備え、受信側サブシステム２０は、切替部１８による信号の選択系の切替後に、ＯＤＵ変換部１で変換された信号形式を元の信号形式へ復元する元信号復元部１９を備えたところにある。
【００２７】
次に、本実施例の無瞬断切替システムの動作をその構成と共に説明する。ＯＤＵ変換部１は、無瞬断切替されるべき元信号をＩＴＵ−Ｔ  Ｇ．７０９光トランスポートネットワークで規定されるＯＤＵ信号形式に変換し、識別子付与部２は、ＯＤＵ信号のオーバーヘッドバイトの一部に位相調整用の識別子として前記特定のパターンを付与する。
【００２８】
前記位相差吸収手段は、経路Ａより受信したＯＤＵ信号中のオーバーヘッドバイトから前記特定のパターンで表される識別子を検出する識別子検出部１３と、経路Ｂより受信したＯＤＵ信号中のオーバーヘッドバイトから前記特定のパターンで表される識別子を検出する識別子検出部１５と、経路Ａより受信したＯＤＵ信号を一時蓄積するメモリ部１６と、経路Ｂより受信したＯＤＵ信号を一時蓄積するメモリ部１７と、識別子検出部１３および識別子検出部１５で検出されたＯＤＵオーバーヘッド内の前記特定パターンの到着時刻の差から位相差を検出し、この位相差に基づきメモリ部１６およびメモリ部１７で蓄積される時間を調整することによって、メモリ部１６およびメモリ部１７からのＯＤＵ信号の読出し位相を一致させるメモリ制御部１４とを備え、切替部１８は、メモリ部１６またはメモリ部１７からＯＤＵ信号を読出すことにより、現用系または予備系の選択系切替えを行い、元信号復元部１９は、切替部１８により読み出されたＯＤＵ信号を元の信号形式に復元する。
【００２９】
識別子付与部２は、ＩＴＵ−Ｔ  Ｇ．７０９光トランスポートネットワークに記載されるＲＥＳバイトを位相調整用識別子とし前記特定パターンの挿入位置として用いたり、あるいは、ＩＴＵ−Ｔ  Ｇ．７０９光トランスポートネットワークに記載されるＥＸＰバイトを位相調整用識別子とし前記特定パターンの挿入位置として用いたり、あるいは、ＩＴＵ−Ｔ  Ｇ．７０９光トランスポートネットワークに記載されるＭＦＡＳバイトを位相調整用識別子とし前記特定パターンの挿入位置として用いる。
【００３０】
前記ＯＤＵ信号は、Ｇ．７０９光トランスポートネットワークにて記載されているＧ．７０７とは異なる大容量伝送に適した新たな伝送信号形式である。図２にＯＤＵ構造図を示す。Ｇ．７０９では、４×３８０８バイトのクライアント信号に、４×２バイトのＯＰＵオーバーヘッドを付与し、さらに、３×１４バイトのＯＤＵオーバーヘッドが付加される。なお、図２において略語はそれぞれ、ＰＭ：Ｐａｔｈ  Ｍｏｎｉｔｏｒｉｎｇ，ＴＣＭ：Ｔａｎｄｅｍ  Ｃｏｎｎｅｃｔｉｏｎ  Ｍｏｎｉｔｏｒｉｎｇ，ＳＡＰＩ：Ｓｏｕｒｃｅ  Ａｃｃｅｓｓ  Ｐｏｉｎｔ  Ｉｄｅｎｔｉｆｉｅｒ，ＤＡＰＩ：Ｄｅｓｔｉｎａｔｉｏｎ  Ａｃｃｅｓｓ  Ｐｏｉｎｔ  Ｉｄｅｎｔｉｆｉｅｒ，ＲＥＳ：Ｒｅｓｅｒｖｅｄ  ｆｏｒ  ｆｕｔｕｒｅ  ｉｎｔｅｒｎａｔｉｏｎａｌ  ｓｔａｎｄａｒｄｉｓａｔｉｏｎ，ＡＣＴ：Ａｃｔｉｖａｔｉｏｎ／ｄｅａｃｔｉｖａｔｉｏｎ  ｃｏｎｔｒｏｌ  ｃｈａｎｎｅｌ，ＦＴＦＬ：Ｆａｕｌｔ  Ｔｙｐｅ  ＆  Ｆａｕｌｔ  Ｌｏｃａｔｉｏｎ  ｒｅｐｏｒｔｉｎｇ  ｃｈａｎｎｅｌ，ＥＸＰ：Ｅｘｐｅｒｉｍｅｎｔａｌ，ＧＣＣ：Ｇｅｎｅｒａｌ  Ｃｏｍｍｕｎｉｃａｔｉｏｎ  Ｃｈａｎｎｅｌ，ＡＰＳ：Ａｕｔｏｍａｔｉｃ  Ｐｒｏｔｅｃｔｉｏｎ  Ｓｗｉｔｃｈｉｎｇ  ｃｏｏｒｄｉｎａｔｉｏｎ  ｃｈａｎｎｅｌ，ＰＣＣ：Ｐｒｅｔｅｃｔｉｏｎ  Ｃｏｍｍｕｎｉｃａｔｉｏｎ  Ｃｏｎｔｒｏｌ  ｃｈａｎｎｅｌ，ＴＴＩ：Ｔｒａｉｌ  Ｔｒａｃｅ  Ｉｄｅｎｔｉｆｉｅｒ，ＢＩＰ８：Ｂｉｔ  Ｉｎｔｅｒｌｅａｖｅｄ  Ｐａｒｉｔｙ−ｌｅｖｅｌ  ８，ＢＩＥ：Ｂａｃｋｗａｒｄ  Ｅｒｒｏｒ  Ｉｎｄｉｃａｔｉｏｎ，ＢＤＩ：Ｂａｃｋｗａｒｄ  Ｄｅｆｅｃｔ  Ｉｎｄｉｃａｔｉｏｎ，ＳＴＡＴ：Ｓｔａｔｕｓ，ＰＳＩ：Ｐａｙｌｏａｄ  Ｓｔｒｕｃｔｕｒｅ  Ｉｄｅｎｔｉｆｉｅｒ，ＰＴ：Ｐａｙｌｏａｄ  Ｔｙｐｅ，ＭＦＡＳ：Ｍｕｌｔｉ  Ｆｒａｍｅ  Ａｌｉｇｎｍｅｎｔ  Ｓｉｇｎａｌである。さらに、伝送媒体に信号が送出される前に、ＯＴＵオーバーヘッドとＦＥＣが付与され、４×４０８０バイトのＯＴＵフレームとして伝送される。
【００３１】
Ｇ．７０９で規制されるＯＤＵ１フレーム、ＯＤＵ２フレームのペイロードは、Ｇ．７０７で規定されるＳＴＭ１６フレーム、ＳＴＭ６４フレームのビットレートを全て伝送できる容量をもつため、ＯＤＵ信号形式への変換によってＳＴＭ−Ｎ信号のビット欠落が発生することはない。また、ＯＤＵ信号形式のペイロード部は、ＳＴＭ−Ｎ信号だけでなく、ＡＴＭセルやＩＴＵ−Ｔ  Ｇ．７０４１で規定されるＧＦＰフレームを伝送することもできる。また、図１のブロック構成では、クライアント信号をＧ．７０９に準拠したＯＤＵ信号形式に変換したが、クライアント信号が保存されれば、信号形式の変換手段として、別の信号変換手段を用いてもよい。
【００３２】
また、請求項３、請求項４、請求項５、請求項８、請求項９、請求項１０は、いずれもＧ．７０９で規定されるオーバーヘッドバイトを用いた位相調整を行う無瞬断切替システムである。請求項３、請求項８は、図２に示すＲＥＳバイトを位相調整用識別子としている。請求項４、請求項９は、図２に示すＥＸＰバイトを位相調整用識別子としている。請求項５、請求項１０は、図２に示すＭＦＡＳバイトを位相調整用識別子としている。
【００３３】
以上により、本実施例の無瞬断切替システムでは、ＯＤＵ信号のオーバーヘッドの一部を位相認識用の特定パターン挿入用に用いることにより、例えば、クライアント信号が複数のＶＣパスが多重されたＳＴＭフレームをＯＤＵ信号のペイロード部に収容することで、多重された全回線に対する無瞬断切替を実現する場合に、ＶＣパス単位での切替回路を独立して複数搭載する必要がなく、ＳＴＭ−ＮフレームをペイロードとするＯＤＵ単位での切替回路を一つのみ搭載することで実現できる。これにより前記第一の課題を解決できる。
【００３４】
さらに、位相認識用の特定パターン挿入の前段において、ＳＴＭ−Ｎフレームを信号形式の異なるＯＤＵフレームに変換し、切替部１８の後段でＯＤＵ信号形式からＳＴＭ信号形式に変換することによって、元信号であるＳＴＭ−Ｎフレームのオーバーヘッドバイトに変更を加えることなく、ＳＴＭ−Ｎフレームのトランスペアレント性を維持したまま信号の伝送および切替制御を行うことができる。これにより、前記第二の課題を解決できる。
【００３５】
以下、本発明の実施の形態を図面とともに説明する。
【００３６】
（第一の実施の形態）
図３は、本発明を光ＡＤＭリングシステムへ適用することにより、無瞬断切替機能を有する高信頼なネットワークシステムを実現する形態である。光ＡＤＭリングシステムは、複数のクライアントインタフェースから受信する複数の信号を波長変換し、一心の光ファイバに多重して伝送する機能を有する光ＡＤＭノード装置を、リング状に接続することで、複数拠点間において光レイヤでの大容量通信を実現するシステムである。
【００３７】
光ＡＤＭリングシステムは、クライアント装置と接続されるクライアントインタフェース（ＩＦと図示）部２１と、各クライアントインタフェース部２１からの信号を多重信号内に分岐、挿入、通過させる波長分岐挿入部２２と、波長分岐挿入部２２により方路設定された各光信号を波長多重し、他のノードと伝送する機能を有するＷＤＭインタフェース部２３とから構成される。
【００３８】
図３では、光ＡＤＭノード装置３０、４０、５０、６０によって、４ノードの光ＡＤＭリングシステムが構成されており、光ＡＤＭノード装置３０と光ＡＤＭノード装置４０の間では、時計回りの経路Ａ、反時計回りの経路Ｂの信号経路の設定がなされている。
【００３９】
本実施例の無瞬断切替機能を有する無瞬断切替部２４および２８を光ＡＤＭノード装置３０および４０のクライアントインタフェース部２１および２７に適用することにより、以下のように経路Ａ、経路Ｂの間での無瞬断切替を実現することができる。
【００４０】
光ＡＤＭノード装置３０のクライアントインタフェース部２１から入力されたクライアント信号は、本実施例の無瞬断切替システムの送信側サブシステム１０を搭載した無瞬断切替部２４により、位相認識用パターンを挿入されたＯＤＵ信号として、経路Ａ、経路Ｂにより分岐送信される。これらのＯＤＵ信号は異なる経路により光ＡＤＭノード装置４０の本実施例の無瞬断切替システムの受信側サブシステム２０を搭載した無瞬断切替部２８によって、位相調整が行われ、任意の経路からＯＤＵ信号の読出しを行い、ＯＤＵ信号から元信号の復元を経てクライアントインタフェース部２７から出力される。
【００４１】
これにより、例えば光ＡＤＭノード装置４０において、経路Ａの故障を検出した後、１ビット以内にＯＤＵ信号の読出しの選択系を経路Ａから経路Ｂへ切替えることにより、伝送路故障の発生時などにクライアント信号を無瞬断で自動救済することが可能となる。
【００４２】
（第二の実施の形態）
図４は、本実施例の無瞬断切替システムを光クロスコネクト（Ｏｐｔｉｃａｌ−ｃｒｏｓｓ−Ｃｏｎｎｅｃｔ；ＯＸＣ）システムへ適用することにより、無瞬断切替機能を有する高信頼なネットワークシステムを実現する形態である。
【００４３】
光クロスコネクトシステムは、複数のＯＸＣノード８１〜８９を相互に接続することによって、複数拠点間において光レイヤでの大容量メッシュネットワークを実現するシステムである。それぞれのＯＸＣノード８１〜８９は、複数のインタフェース部から受信した信号を、方路設定した後に、他のインタフェース部により送信する。図４では、ＯＸＣノード８１〜８９により、９地点のメッシュネットワークが実現されている。
【００４４】
図４に示すネットワークで、ＯＸＣノード８１からＯＸＣノード８９へ、光パスによる経路ＡおよびＢが設定されているとする。この場合も、第一の実施の形態と同様に、ＯＸＣノード８１のＩＦ部７０に、図１に示す本実施例の送信側サブシステム１０を、ＯＸＣノード８９のＩＦ部７１に受信側サブシステム２０を適用することにより、経路ＡとＢとの間での無瞬断での光パスの切替が可能となる。
【００４５】
【発明の効果】
以上説明したように、本発明によれば、送信側ではクライアント信号をＩＴＵ−Ｔ  Ｇ．７０９で規定されたＯＤＵ信号に変換し、ＯＤＵ信号のオーバーヘッドバイトの一部に特定の位相認識用マルチフレーム（識別子）を挿入し、異なる２つの経路に送信し、受信側ではＯＤＵ信号のオーバーヘッドバイトから特定の位相認識用マルチフレームを検出し、異なる経路を伝送される信号の到着時刻の差を検出し、その到着時刻差を吸収するようにメモリを制御することで、前述したように元信号を保存したままでの無瞬断切替えを実現し、さらに、装置構成の複雑化を回避することが可能となる。
【図面の簡単な説明】
【図１】本実施例の無瞬断切替システムのブロック構成図。
【図２】ＯＤＵ構造図。
【図３】第一の実施の形態を説明するための図。
【図４】第二の実施の形態を説明するための図。
【図５】従来の無瞬断切替システムのブロック構成図（送信側）。
【図６】従来の無瞬断切替システムのブロック構成図（受信側）。
【符号の説明】
１  ＯＤＵ変換部
２  識別子付与部
３  分岐部
４、５  信号送信部
１０  送信側サブシステム
１１、１２  信号受信部
１３、１５  識別子検出部
１４  メモリ制御部
１６、１７  メモリ部
１８  切替部
１９  元信号復元部
２０  受信側サブシステム
２１、２７  クライアントインタフェース部
２２、２６  波長分岐挿入部
２３、２５  ＷＤＭインタフェース部
２４、２８  無瞬断切替部
３０、４０、５０、６０  光ＡＤＭノード装置
７０、７１  インタフェース部
８１〜８９  ＯＸＣノード
【図１】
2004266480.tif 000003
【図２】
2004266480.tif 000004
【図３】
2004266480.tif 000005
【図４】
2004266480.tif 000006
【図５】
2004266480.tif 000007
【図６】
2004266480.tif 000008